(57)【要約】【課題】位相差層を接着層等により貼り合せて光学フィルムを作製する構成において、位相差層の傷付きを有効に回避することができるようにすることができる。【解決手段】支持体基材２５と、転写層１３とを備えた光学フィルム用転写体２１であって、転写層１３は、少なくとも透過光に１／４波長分の位相差を付与する１／４波長位相差層１８と、透過光に１／２波長分の位相差を付与する１／２波長位相差層１９と、１／４波長位相差層１８及び１／２波長位相差層１９とを接着する接着層２０とを備え、支持体基材２５に対して、最外層（２３）の硬度が大きい。【選択図】図３
2015034851.tif 000002
【特許請求の範囲】
【請求項１】
支持体基材と、転写層とを備えた光学フィルム用転写体であって、
前記転写層は、
少なくとも透過光に１／４波長分の位相差を付与する１／４波長位相差層と、透過光に１／２波長分の位相差を付与する１／２波長位相差層と、前記１／４波長位相差層及び前記１／２波長位相差層とを接着する接着層とを備え、
前記支持体基材に対して、最外層の硬度が大きい
光学フィルム用転写体。
【請求項２】
前記支持体基材を内側にしたロール体である
請求項１に記載の光学フィルム用転写体。
【請求項３】
前記転写層は、
前記支持体基材側より、前記１／４波長位相差層に係る１／４波長位相差層用配向膜、前記１／４波長位相差層、前記接着層、前記１／２波長位相差層、前記１／２波長位相差層に係る１／２波長位相差層用配向膜であり、
前記最外層が前記１／２波長位相差層用配向膜である
請求項１又は請求項２に記載の光学フィルム用転写体。
【請求項４】
前記転写層は、
前記支持体基材側より、前記１／４波長位相差層、前記接着層、前記１／２波長位相差層であり、
前記最外層が前記１／２波長位相差層である
請求項１又は請求項２に記載の光学フィルム用転写体。
【請求項５】
前記硬度が、鉛筆硬度である
請求項１、請求項２、請求項３、請求項４の何れかに記載の光学フィルム用転写体。
【請求項６】
請求項１、請求項２、請求項３、請求項４、請求項５の何れかに記載の光学フィルム用転写体の前記転写層を、直線偏光板と貼り合せた
光学フィルム。
【請求項７】
支持体基材と、転写層とを備えた光学フィルム用転写体の製造方法であって、
前記支持体基材上に、１／４波長位相差層用配向膜を作製して、前記支持体基材、１／４波長位相差層用配向膜の積層体を作製する１／４波長位相差層用配向膜作製工程と、
前記支持体基材、１／４波長位相差層用配向膜の積層体に、１／４波長位相差層を作製して、前記支持体基材、１／４波長位相差層用配向膜、１／４波長位相差層の積層体を作製する１／４波長位相差層作製工程と、
１／２波長位相差層用の基材の上に、１／２波長位相差層用配向膜を作製して、前記１／２波長位相差層用の基材、１／２波長位相差層用配向膜の積層体を作製する１／２波長位相差層用配向膜作製工程と、
前記１／２波長位相差層用の基材、１／２波長位相差層用配向膜の積層体に、１／２波長位相差層を作製して、前記１／２波長位相差層用の基材、１／２波長位相差層用配向膜、１／２波長位相差層の積層体を作製する１／２波長位相差層作製工程と、
前記１／４波長位相差層及び１／２波長位相差層を貼り合せて、前記支持体基材、１／４波長位相差層用配向膜、１／４波長位相差層の積層体と、前記１／２波長位相差層用の基材、１／２波長位相差層用配向膜、１／２波長位相差層の積層体とを一体化する貼り合せ工程と、
前記貼り合せ工程により一体化した積層体から前記１／２波長位相差層用の基材、若しくは前記１／２波長位相差層用の基材及び前記１／２波長位相差層用配向膜の積層体を剥離する剥離工程とを備え、
前記１／２波長位相差層用配向膜作製工程又は前記１／２波長位相差層作製工程は、
前記支持体基材に対して、前記転写層の最外層の硬度が大きくなるように、前記１／２波長位相差層用配向膜又は前記１／２波長位相差層を作製する
光学フィルム用転写体の製造方法。
【請求項８】
請求項７に記載の光学フィルム用転写体から前記転写層を直線偏光版に貼り合せて一体化する
光学フィルムの製造方法。
【発明の詳細な説明】
【技術分野】
【０００１】
本発明は、例えば１／４波長板を１／２波長位相差層及び１／４波長位相差層の積層により構成する光学フィルムに関する。
【背景技術】
【０００２】
従来、画像表示装置に関して、画像表示パネルのパネル面（視聴者側面）に円偏光板による光学フィルムを配置し、この光学フィルムにより外来光の反射を低減する方法が提案されている。ここでこの光学フィルムは、直線偏光板、１／４波長板の積層により構成され、画像表示パネルのパネル面に向かう外来光を直線偏光板により直線偏光に変換し、続く１／４波長板により円偏光に変換する。ここでこの円偏光による外来光は、画像表示パネルの表面等で反射するものの、この反射の際に偏光面の回転方向が逆転する。その結果、この反射光は、到来時とは逆に、１／４波長板により、直線偏光板で遮光される方向の直線偏光に変換された後、続く直線偏光板により遮光され、その結果、外部への出射が著しく抑制される。
【０００３】
この光学フィルムに関して、特許文献１等には、透過光に１／２波長分の位相差を付与する１／２波長位相差層、透過光に１／４波長分の位相差を付与する１／４波長位相差層を積層して１／４波長板を構成することにより、正の分散特性による液晶材料を使用して１／４波長板を逆分散特性により機能させる方法が提案されている。なおここで逆分散特性とは、短波長側ほど透過光における位相差が小さい波長分散特性である。
【０００４】
１／２波長位相差層、１／４波長位相差層等は、配向膜の配向規制力により液晶材料を配向させた状態で、この液晶材料を固化（硬化）させることにより作成することができる。より具体的に、この種の位相差層は、重合性液晶モノマーを配向膜上に積層した後、相転移点まで昇温し、その後紫外線照射等より重合させて液晶の配向状態を固定することにより作製される。また配向膜は、例えば賦型用金型を使用した賦型処理により賦型用金型に作成された微細な凹凸形状を転写して作成することができ、またいわゆる光配向の手法によっても作成することができる。
【０００５】
ところで１／２波長位相差層、１／４波長位相差層をそれぞれ個別に作成した後、接着層により貼り合わせることにより、１／２波長位相差層、１／４波長位相差層の積層体により１／４波長板を作製することができると考えられる。またこのとき１／２波長位相差層、１／４波長位相差層を接着剤による接着層により直接貼り合わせることにより、全体の厚みを薄くすることができると考えられる。
【０００６】
このようにして積層体を作製する場合、位相差層の傷付きを有効に回避することが求められる。
【先行技術文献】
【特許文献】
【０００７】
【特許文献１】特開平１０−６８８１６号公報
【特許文献２】特開２０００−２８４１２６号公報
【発明の概要】
【発明が解決しようとする課題】
【０００８】
本発明はこのような状況に鑑みてなされたものであり、位相差層を接着層等により貼り合せて光学フィルムを作製する構成において、位相差層等の傷付きを有効に回避することができるようにする。
【課題を解決するための手段】
【０００９】
本発明者は、上記課題を解決するために鋭意研究を重ね、転写法により１／２波長位相差層及び１／４波長位相差層の積層体を直線偏光板に貼り合せるようにして、この転写法の適用により取り除かれる支持体基材が傷付くように設定して位相差層の傷つきを有効に回避するとの着想に至り、本発明を完成するに至った。
【００１０】
（１）  支持体基材と、転写層とを備えた光学フィルム用転写体であって、
前記転写層は、
少なくとも透過光に１／４波長分の位相差を付与する１／４波長位相差層と、透過光に１／２波長分の位相差を付与する１／２波長位相差層と、前記１／４波長位相差層及び前記１／２波長位相差層とを接着する接着層とを備え、
前記支持体基材に対して、最外層の硬度が大きい。
【００１１】
（１）によれば、積層による傷付きが支持体基材側で発生することになり、最外層の傷つきを防止することができ、その結果、位相差層等の傷付きを有効に回避することができる。
【００１２】
（２）  （１）において、
前記支持体基材を内側にしたロール体である。
【００１３】
（２）によれば、ロールによる巻き取りおける積層に関して、最外層の傷つきを防止することができ、その結果、位相差層等の傷付きを有効に回避することができる。
【００１４】
（３）  （１）又は（２）において、
前記転写層は、
前記支持体基材側より、前記１／４波長位相差層に係る１／４波長位相差層用配向膜、前記１／４波長位相差層、前記接着層、前記１／２波長位相差層、前記１／２波長位相差層に係る１／２波長位相差層用配向膜であり、
前記最外層が前記１／２波長位相差層用配向膜である。
【００１５】
（３）によれば、１／４波長位相差層用配向膜、１／４波長位相差層、接着層、１／２波長位相差層、１／２波長位相差層用配向膜により転写層を構成する場合に、１／２波長位相差層用配向膜の傷付きを有効に回避することができる。
【００１６】
（４）  （１）又は（２）において、
前記転写層は、
前記支持体基材側より、前記１／４波長位相差層、前記接着層、前記１／２波長位相差層であり、
前記最外層が前記１／２波長位相差層である。
【００１７】
（４）によれば、１／４波長位相差層、接着層、１／２波長位相差層により転写層を構成する場合に、１／２波長位相差層の傷付きを有効に回避することができる。
【００１８】
（５）  （１）、（２）、（３）、又は（４）において、
前記硬度が、鉛筆硬度である。
【００１９】
（５）によれば、簡易な構成により位相差層等の傷付きを有効に回避することができる。
【００２０】
（６）  （１）、（２）、（３）、（４）、又は（５）に記載の光学フィルム用転写体の前記転写層を、直線偏光板と貼り合せて光学フィルムを構成する。
【００２１】
（６）によれば、傷付きを有効に回避してなる位相差層等により光学フィルムを構成することができる。
【００２２】
（７）  支持体基材と、転写層とを備えた光学フィルム用転写体の製造方法であって、
前記支持体基材上に、１／４波長位相差層用配向膜を作製して、前記支持体基材、１／４波長位相差層用配向膜の積層体を作製する１／４波長位相差層用配向膜作製工程と、
前記支持体基材、１／４波長位相差層用配向膜の積層体に、１／４波長位相差層を作製して、前記支持体基材、１／４波長位相差層用配向膜、１／４波長位相差層の積層体を作製する１／４波長位相差層作製工程と、
１／２波長位相差層用の基材の上に、１／２波長位相差層用配向膜を作製して、前記１／２波長位相差層用の基材、１／２波長位相差層用配向膜の積層体を作製する１／２波長位相差層用配向膜作製工程と、
前記１／２波長位相差層用の基材、１／２波長位相差層用配向膜の積層体に、１／２波長位相差層を作製して、前記１／２波長位相差層用の基材、１／２波長位相差層用配向膜、１／２波長位相差層の積層体を作製する１／２波長位相差層作製工程と、
前記１／４波長位相差層及び１／２波長位相差層を貼り合せて、前記支持体基材、１／４波長位相差層用配向膜、１／４波長位相差層の積層体と、前記１／２波長位相差層用の基材、１／２波長位相差層用配向膜、１／２波長位相差層の積層体とを一体化する貼り合せ工程と、
前記貼り合せ工程により一体化した積層体から前記１／２波長位相差層用の基材、若しくは前記１／２波長位相差層用の基材及び前記１／２波長位相差層用配向膜の積層体を剥離する剥離工程とを備え、
前記１／２波長位相差層用配向膜作製工程又は前記１／２波長位相差層作製工程は、
前記支持体基材に対して、前記転写層の最外層の硬度が大きくなるように、前記１／２波長位相差層用配向膜又は前記１／２波長位相差層を作製する。
【００２３】
（７）によれば、積層による傷付きが支持体基材側で発生することになり、最外層となる１／２波長位相差層用配向膜又は１／２波長位相差層の傷つきを防止することができる。
【００２４】
（８）（７）に記載の光学フィルム用転写体から前記転写層を直線偏光版に貼り合せて一体化して光学フィルムを作製する。
【００２５】
（８）によれば、傷付きを有効に回避してなる位相差層等により光学フィルムを構成することができる。
【発明の効果】
【００２６】
本発明は、位相差層を接着層等により貼り合せて光学フィルムを作製する構成において、位相差層等の傷付きを有効に回避することができるようにすることができる。
【図面の簡単な説明】
【００２７】
【図１】本発明の第１実施形態に係る画像表示装置を示す断面図である。
【図２】図１の画像表示装置に適用される光学フィルムの説明に供する図である。
【図３】図２の光学フィルムに係る転写フィルムを示す断面図である。
【図４】図３の転写フィルムの製造工程の説明に供する図である。
【図５】図４の転写フィルムによる光学フィルムの製造工程の説明に供する図である。
【図６】図４の続きの工程の説明に供する図である。
【図７】図４の製造工程の説明に供する図である。
【図８】図７の続きの説明に供する図である。
【図９】本発明の第１実施形態に係る画像表示装置を示す断面図である。
【図１０】図１の画像表示装置に係る転写フィルムを示す断面図である。
【発明を実施するための形態】
【００２８】
〔第１実施形態〕
〔光学フィルム及び画像表示装置〕
図１は、本発明の第１実施形態に係る画像表示装置を示す図である。この画像表示装置１１は、画像表示パネル１２のパネル面（視聴者側面）に、光学フィルム１３が配置される。ここで画像表示パネル１２は、例えば有機ＥＬパネルであり、所望のカラー画像を表示する。なお画像表示パネル１２にあっては、有機ＥＬパネルに限らず、液晶表示パネル等、種々の画像表示パネルを広く適用することができる。
【００２９】
光学フィルム１３は、円偏光板の機能により画像表示パネル１２に到来する外来光の反射を抑圧する光学フィルムである。このため光学フィルム１３は、直線偏光板１５、１／４波長板１６を積層して構成される。光学フィルム１３は、図示しないセパレータフィルムを剥離して感圧接着剤による粘着層１４を露出させた後、この粘着層１４により、画像表示パネル１２のパネル面に貼り付けられて保持される。なお感圧接着剤に代えて例えば紫外線硬化性樹脂等の各種の接着剤、粘着剤により光学フィルム１３を配置してもよい。また直線偏光板１５及び１／４波長板１６は、接着層１７を介して一体化される。ここで接着層１７は、紫外線硬化性樹脂、熱硬化性樹脂、感圧接着剤等、各種の接着剤を広く適用することができるものの、全体の厚みを薄くする観点から、紫外線硬化性樹脂を適用することが好ましく、この場合は厚み１μｍ程度により作成することができる。
【００３０】
１／４波長板１６は、透過光に１／４波長分の位相差を付与する１／４波長位相差層１８と、透過光に１／２波長分の位相差を付与する１／２波長位相差層１９とを接着層２０により貼合した積層体により構成される。これにより光学フィルム１３は、カラー画像の表示に供する広い波長帯域で十分に外来光の反射を抑圧する。
【００３１】
また１／４波長板１６は、１／４波長位相差層１８、１／２波長位相差層１９の作製に供する１／４波長位相差層用配向膜２２、１／２波長位相差層用配向膜２３が、それぞれ画像表示パネル１２側、直線偏光板１５側に設けられ、これにより転写法を適用して光学フィルム１３を作製して全体の厚みを薄くすると共に、１／４波長位相差層用配向膜２２、１／２波長位相差層用配向膜２３を保護層として機能させて１／４波長位相差層１８、１／２波長位相差層１９の傷つきを低減する。
【００３２】
これらにより画像表示装置１１では、画像表示パネル１２の表示画面側より、順次、１／４波長位相差層１８、１／２波長位相差層１９、直線偏光板１５が配置される。また図２に示すように、矢印により示す直線偏光板１５の透過軸に対して、１／２波長位相差層１９及び１／４波長位相差層１８の遅相軸（それぞれ矢印により示す）が、それぞれ反時計回りに１５度、７３度の角度を成すように配置される。
【００３３】
１／４波長位相差層用配向膜２２、１／２波長位相差層用配向膜２３は、表面に微細な凹凸形状を作成して形成され、この微細な凹凸形状による配向規制力により１／４波長位相差層１８、１／２波長位相差層１９に係る液晶材料を配向させる。なお１／４波長位相差層用配向膜２２、１／２波長位相差層用配向膜２３は、十点平均粗さ（Ｒｚ）が、１０ｎｍ以上、４５ｎｍ以下であり、またさらに平均面粗さ（Ｒａ）が、１ｎｍ以上、４ｎｍ以下である。これにより１／４波長位相差層用配向膜２２、１／２波長位相差層用配向膜２３は、対応する１／４波長位相差層１８、１／２波長位相差層１９との間で十分な密着強度を確保して、いわゆる黒輝度に係る１／４波長位相差層１８、１／２波長位相差層１９のばらつきを十分に小さくすることができる。
【００３４】
この実施形態において、１／４波長位相差層用配向膜２２、１／２波長位相差層用配向膜２３は、微細な凹凸形状の賦型に供する賦型用樹脂層が形成された後、賦型処理によりこの賦型樹脂層の表面に微細な凹凸形状を作成して形成される。この実施形態ではこの賦型用樹脂に紫外線硬化性樹脂が適用されて、アクリル系の紫外線硬化性樹脂が使用されるものの、これに限らず賦型処理に供する各種の樹脂を広く適用することができる。
【００３５】
また、これら１／２波長位相差層用配向膜２３及び１／４波長位相差層用配向膜２２に係る微細な凹凸形状は、一方向に延長するライン状（線）の凹凸形状により形成され、この一方向に延長する方向が直線偏光板１５の透過軸に対して、それぞれ反時計回りに１５度、７３度の角度を成す方向となるように作成される。
【００３６】
１／４波長位相差層１８及び１／２波長位相差層１９は、対応する配向膜２２、２３の配向規制力により屈折率異方性を保持した状態で固化（硬化）された液晶材料により形成される。より具体的に１／４波長位相差層１８及び１／２波長位相差層１９は、重合性液晶モノマーを配向膜２２、２３上に積層した後、相転移点まで昇温し、その後、紫外線照射より重合性液晶モノマーを重合させて液晶の配向状態を固定することにより作製される。１／４波長位相差層１８及び１／２波長位相差層１９は、この種の光学フィルムに適用可能な各種の液晶材料を広く適用することができるものの、この実施形態では、同一の材料が適用される。より具体的に、１／４波長位相差層１８及び１／２波長位相差層１９は、例えば、下記化学式（１）〜（１３）に表される化合物等が用いられる。
【００３７】
【化１】
2015034851.tif 000003
【００３８】
接着層２０は、紫外線硬化性樹脂、熱硬化性樹脂、感圧接着剤等、各種の接着剤を広く適用することができるものの、全体の厚みを薄くする観点から、紫外線硬化性樹脂を適用することが好ましく、この場合は厚み１μｍ程度により作成することができる。この実施形態では、配向膜の作製に適用した紫外線硬化性樹脂を適用する。なお接着層２０には粘着層を適用してもよい。
【００３９】
直線偏光板１５は、ＴＡＣ（トリアセチルセルロース）等の透明フィルムからなる基材１５Ａの下面側が鹸化処理された後、光学機能層１５Ｂが配置される。なお基材１５Ａは、これに代えてポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂等の樹脂、ソーダ硝子、カリ硝子、鉛硝子、石英硝子等の硝子等を適用することができる。
【００４０】
光学機能層１５Ｂは、直線偏光板としての光学的機能を担う部位であり、例えばポリビニルアルコール（ＰＶＡ）によるフィルム材に、ヨウ素化合物分子を吸着配向させて作製される。
【００４１】
しかして光学フィルム１３においては、１／４波長位相差層１８と１／２波長位相差層１９とを接着層２０により貼合した積層体により１／４波長板１６を構成することにより、それぞれ別工程により作成された１／４波長位相差層１８と１／２波長位相差層１９とを使用して作成することができ、これにより順次、配向膜、位相差層を積層して作成する場合のはじき、密着力不足を有効に回避して作成することができ、その結果、安定かつ高い信頼性により作成することができる。
【００４２】
またこれら１／４波長位相差層１８、１／２波長位相差層１９の作製に供する１／４波長位相差層用配向膜２２、１／２波長位相差層用配向膜２３を、それぞれ画像表示パネル１２側、直線偏光板１５側に設け、これにより転写法を適用して光学フィルム１３を作製して全体の厚みを薄くすると共に、１／４波長位相差層用配向膜２２、１／２波長位相差層用配向膜２３を保護層として機能させ、１／４波長位相差層１８、１／２波長位相差層１９の傷つきを低減することができる。なお転写法とは、例えば基材の上に所望の層を形成する場合に、この層を直接当該基材上に形成するのでは無く、一旦、離型性の支持体上に剥離可能に該層を積層形成して転写体を作製した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。
【００４３】
なお光学フィルム１３においては、直線偏光板１５に設けられる基材１５Ａの光学機能層１５Ｂとは逆側面に、必要に応じて反射防止コート層、ハードコート層等の各種機能層１０が設けられる。
【００４４】
〔転写体〕
光学フィルム１３は、接着層１７により１／４波長板１６、直線偏光板１５が一体化され、この一体化に係る一連の処理に転写法が適用される。これによりこの実施形態では、被転写基材は、直線偏光板１５であり、転写に供する層（転写層）は、１／４波長位相差層用配向膜２２、１／４波長位相差層１８、接着層２０、１／２波長位相差層１９、１／２波長位相差層用配向膜２３の積層体である。
【００４５】
図３は、この転写体である転写フィルム２１の構成を示す図である。転写フィルム２１は、支持体基材２５上に、１／４波長位相差層用配向膜２２、１／４波長位相差層１８、接着層２０、１／２波長位相差層１９、１／２波長位相差層用配向膜２３、基材２４が設けられる。
【００４６】
ここで支持体基材２５は、転写層を剥離可能に担持し、転写層を被転写基材上に接着、積層した後は、適宜時機に剥離、除去に供される基材である。この実施形態では、透明フィルム材であるＰＥＴ（Polyethylene  terephthalate）フィルムが適用される。なおＰＥＴフィルムは、必要に応じてコロナ処理され、これにより密着力が適切に設定される。なお支持体基材２５は、ポリブチレンテレフタレート、ポリエチレンアフタレート等のポリエステル樹脂、ポリプロピレン、ポリメチルペンテン等のポリオレフィン樹脂等の樹脂からなる樹脂性フィルム材を適用してもよい。
【００４７】
なお転写層との剥離性が不十分な場合は、支持体基材２５には、転写層側に、剥離を促進する離型層を設ける。ここで離型層は、相対的に、支持体基材２５との密着性は高く（剥離性は低く）、転写層との密着性は低い（剥離性は高い）材料を適用することができる。この実施形態では、転写層の最下層が紫外線硬化性樹脂による１／４波長位相差層用配向膜２２であることにより、上述の支持体基材２５に対して、例えばシリコン樹脂（有機珪素系高分子化合物）、弗素系樹脂、メラミン樹脂、エポキシ樹脂、又はこれら樹脂と適宜の他の樹脂（アクリル樹脂、セルロース系樹脂、ポリエステル樹脂等）との混合物が用いられる。
【００４８】
因みに、離型層による剥離性が不十分な場合、支持体基材２５と離型層との間に、剥離層を設け、この剥離層により離型層による剥離性を補うようにしてもよい。なお剥離層は、相対的に、支持体フィルムとの密着性が低く（剥離性は高く）、剥離層との密着性が高い（剥離性は低い）材料を適用することができる。より具体的には、この実施形態において、剥離層には、アクリル樹脂、セルロース系樹脂、ポリエステル樹脂、ウレタン樹脂、塩化ビニル−酢酸ビニル共重合体、又は以上の中から選択した２種以上の混合物、或いは以上のなかから選択した１種以上とその他の樹脂との混合物を適用することができる。
【００４９】
基材２４は、転写層を剥離可能に担持し、転写時等の適宜時機に剥離、除去に供される基材である。この実施形態では、支持体基材２５と同一に構成される。また基材２４においても、下層の１／２波長位相差層用配向膜２３との間の密着力を適切に設定するために、必要に応じてコロナ処理して密着力が向上される。
【００５０】
〔製造工程〕
図４は、転写フィルム２１の製造工程の説明に供する図である。この製造工程は、基材２４に１／２波長位相差層用配向膜２３、１／２波長位相差層１９を作成する（図４（Ａ））。また基材２５に、１／４波長位相差層用配向膜２２、１／４波長位相差層１８を作成する（図４（Ｂ））。製造工程は、透過光によりそれぞれ１／２波長位相差層１９、１／４波長位相差層１８の光学特性を検査した後、接着層２０により１／２波長位相差層１９、１／４波長位相差層１８を貼合わせ、これにより転写フィルム２１を作成する（図４（Ｃ））。
【００５１】
なおこの実施形態のように、１／２波長位相差層１９、１／４波長位相差層１８をそれぞれ個別に作成して一体化する場合には、１／２波長位相差層１９、１／４波長位相差層１８の光学特性をそれぞれ検査することができる。これにより品質を向上し、これによっても安定に光学フィルム１３を生産することができる。
【００５２】
図５は、続く光学フィルム１３の製造工程の説明に供する図である。この製造工程は、転写フィルム２１から基材２４のみを剥離させた後（図５（Ａ））、接着層１７を介して直線偏光板１５に貼り付け（図５（Ｂ））、これにより支持体基材２５、１／４波長位相差層用配向膜２２と一体に、また１／２波長位相差層用配向膜２３を取り残して光学フィルム１３を作成する。なお基材２４を剥離する工程は、この実施形態では転写フィルム２１の製造工程に設けられるものの、光学フィルム１３の製造工程に設けるようにしてもよい。
【００５３】
これらにより１／２波長位相差層用配向膜２３は、基材２４を剥離した後、直線偏光板１５と貼り合わせるまでの間、その下層の１／２波長位相差層１９を保護する。
【００５４】
続いてこの工程は、図６に示すように、光学フィルム１３から支持体基材２５を剥離させた後（図６（Ａ））、粘着層１４、セパレータフィルムを配置し、所望の大きさに切断して光学フィルム１３を作製する。続く画像表示装置１１の製造工程では、最終工程において、セパレータフィルムを剥離して粘着層１４を露出させ、粘着層１４を介して画像表示パネル１２のパネル面に光学フィルム１３を貼り付ける（図６（Ｂ））。なお支持体基材２５を剥離する処理等を画像表示装置の製造工程で実行してもよい。
【００５５】
これらにより１／４波長位相差層用配向膜２２は、基材２５を剥離した後、画像表示パネル１２と貼り合わせるまでの間、その上層の１／４波長位相差層１８を保護する。
【００５６】
図７は、図４（Ａ）及び図４（Ｂ）について上述した製造工程を示す図である。なおこの図７においては、図４（Ｂ）に係る基材２５に１／４波長位相差層用配向膜２２、１／４波長位相差層１８を作成する構成は、括弧書により記号を付して示す。
【００５７】
この製造工程は、基材２４を供給リール３１から引き出し、ダイ３２により紫外線硬化性樹脂の塗工液を塗工した後、乾燥炉３３により乾燥させる。なおこの塗工液の塗工にあっては、ダイによる場合に限らず、種々の手法を適用することができる。この製造工程において、ロール版３４は、１／２波長位相差層用配向膜２３に係る微細凹凸形状が周側面に形成された賦型用金型である。この製造工程は、紫外線硬化性樹脂が塗工された基材２４を加圧ローラ３５によりロール版３４に押圧し、高圧水銀燈からなる紫外線照射装置３６による紫外線の照射により紫外線硬化性樹脂を硬化させる。これにより製造工程は、ロール版３４の周側面に形成された凹凸形状を基材２４に転写する。その後、剥離ローラ３７によりロール版３４から硬化した紫外線硬化性樹脂と共に基材２４を剥離し、ダイ３９により液晶材料の塗工液を塗工する。またその後、乾燥炉４０により乾燥させた後、紫外線照射装置４１による紫外線の照射により液晶材料を硬化させ、巻き取りリール４２に巻き取る。この一連の処理により基材２４の上に、１／２波長位相差層用配向膜２３、１／２波長位相差層１９が形成される。
【００５８】
またこの製造工程は、ロール版３４に代えて、１／４波長位相差層用配向膜２２の作製に供するロール版４４を配置して、同様に、基材２５を供給リール３１から引き出し、ダイ３２により紫外線硬化性樹脂の塗工液を塗工した後、乾燥炉３３により乾燥させ、ロール版４４により１／４波長位相差層用配向膜２２を作成する。またその後、液晶材料を塗工して乾燥させた後、液晶材料を硬化させて、巻き取りリール５２に巻き取り、これにより基材２５の上に、１／４波長位相差層用配向膜２２、１／４波長位相差層１８を形成する。
【００５９】
図８は、１／４波長位相差層１８及び１／２波長位相差層１９の貼り合わせ工程（図４（Ｃ））の説明に供する図である。この製造工程は、巻き取りリール４２から、基材２４、１／２波長位相差層用配向膜２３、１／２波長位相差層１９の積層体を引き出し、ダイ５５により接着剤である紫外線硬化性樹脂を塗工した後、乾燥炉５６により乾燥させ、巻き取りリール５２から引き出した基材２５、１／４波長位相差層用配向膜２２、１／４波長位相差層１８の積層体と積層する。その後、紫外線照射装置５７により紫外線を照射して塗工した紫外線硬化性樹脂を硬化させた後、基材２４を剥離し、巻き取りリール５８に巻き取る。なおこのような紫外線硬化性樹脂による一体化に代えて、熱硬化性樹脂を使用したドライラミネート等により一体化してもよく、さらにＰＳＡ（Ｐｒｅｓｓｕｒｅ  Ｓｅｎｓｉｔｉｖｅ  Ａｄｈｅｓｉｖｅ）粘着剤により一体化してもよい。
【００６０】
〔傷付き対策〕
ところでこのように基材２５を剥離してロールに巻き取る場合、支持体基材２５と転写層最外層との接触により転写層最外層が傷付き、この傷が光学フィルムの歩留まりを劣化させる恐れがある。そこでこの実施形態では、転写層最外層の硬度が支持体基材２５の硬度より大きくなるように設定する。このようにすれば、ロール状に積層する場合の傷つきを支持体基材２５側とすることができ、最外層の傷付きを有効に回避することができる。
【００６１】
具体的に、この実施形態では、最外層が１／２位相差層用配向膜２３であることにより、この配向膜２３の作製に係る条件の設定により、支持体基材２５より１／２位相差層用配向膜２３の硬度を大きくする。なおこの条件は、紫外線照射量の増大、塗工液に添加する反応開始剤等の増量による反応度の増大等である。
【００６２】
またこの硬度にあっては、鉛筆硬度であり、支持体基材２５の鉛筆硬度Ｆ対して、１／２位相差層用配向膜２３を鉛筆硬度Ｈに設定して傷付きを防止することができた。なお鉛筆硬度の評価にあたっては、東洋精機製作所社製鉛筆引掻塗膜硬さ試験機（電動型）（型式：ＮＰ）を用いて、各硬度の鉛筆にて荷重５００ｇ、スピード０．５ｍｍ／ｓｅｃにより、距離１０ｍｍ以上場所を変えて５回評価を繰り返し、５回評価中３回傷が発生した場合は該当鉛筆硬度以下と判定とした。
【００６３】
〔第２実施形態〕
図９は、図１との対比により本発明の第２実施形態に係る画像表示装置を示す図である。この画像表示装置６１では、光学フィルム１３に代えて光学フィルム６３が適用される点を除いて第１実施形態と同一に構成される。また光学フィルム６３は、転写層６６が、１／２波長位相差層１９、接着層２０、１／４波長位相差層１８により構成される点を除いて光学フィルム１３と同一に構成される。
【００６４】
図１０は、この光学フィルム６１に係る転写フィルムを示す断面図である。光学フィルム６３は、この転写フィルム７１を適用して作製され、この転写フィルム７１では、各層間の密着力の設定により、転写層６６が、１／２波長位相差層１９、接着層２０、１／４波長位相差層１８により構成され、これにより基材２４及び支持体基材２５を剥離する際に、それぞれ１／２波長位相差層用配向膜２３、１／４波長位相差層用配向膜２が一体に剥離される。
【００６５】
この実施形態では、このように転写層６６を、１／２波長位相差層１９、接着層２０、１／４波長位相差層１８により構成して、最外層である１／２波長位相差層１９の硬度が支持体基材２５の硬度より大きくなるように設定され、これにより１／２波長位相差層１９の傷付きが有効に回避される。
【００６６】
〔他の実施形態〕
以上、本発明の実施に好適な具体的な構成を詳述したが、本発明は、本発明の趣旨を逸脱しない範囲で、上述の実施形態の構成を種々に組み合わせたり、変更したりすることができる。
【００６７】
すなわち上述の実施形態では、賦型処理により配向膜を作製する場合について述べたが、本発明はこれに限らず、いわゆる光配向により配向膜を作製する場合にも広く適用することができる。
【符号の説明】
【００６８】
２、１５Ａ、２４、２５  基材
３、２３  １／２波長位相差層用配向膜（配向膜）
４、１９  １／２波長位相差層
５、２２  １／４波長位相差層用配向膜（配向膜）
６、１８  １／４波長位相差層
７、１６  １／４波長板
１１、６１  画像表示装置
１２  画像表示パネル
１３、６３  光学フィルム
１４  粘着層
１５  直線偏光板
１５Ｂ  光学機能層
１６、６６  １／４波長板（転写層）
１７、２０  接着層
２１、６１  転写フィルム
３１  供給リール
３２、３９  ダイ
３３、４０  乾燥炉
３４、４４  ロール版
３５、３７  ローラ
３６、４１、５７  紫外線照射装置
４２、５２、５８  巻き取りリール
５５  ダイ
５６  乾燥炉
【図１】
2015034851.tif 000004
【図２】
2015034851.tif 000005
【図３】
2015034851.tif 000006
【図４】
2015034851.tif 000007
【図５】
2015034851.tif 000008
【図６】
2015034851.tif 000009
【図７】
2015034851.tif 000010
【図８】
2015034851.tif 000011
【図９】
2015034851.tif 000012
【図１０】
2015034851.tif 000013